(57)【特許請求の範囲】
【請求項１】
基板の端部を屈曲して上ハゼ部及び下ハゼ部を形成し、裏面に粘着剤を設けた粘着剤付き屋根材の粘着屋根葺き工法であって、
前記基板と上ハゼ部との間に形成された上嵌合凹所の基端側における間隙は、該上嵌合凹所に嵌挿される他の粘着剤付き屋根材の下ハゼ部の厚さと略同等に形成して成り、且つ、
前記他の粘着剤付き屋根材の基板と下ハゼ部との間に形成された下嵌合凹所の基端側における間隙は、該下嵌合凹所に嵌挿される前記粘着剤付き屋根材の上ハゼ部の厚さ及び２枚の粘着剤の厚さと略同等に形成して成り、
屋根下地上に粘着させた前記粘着剤付き屋根材の上嵌合凹所に、他の粘着剤付き屋根材の下ハゼ部を嵌挿すると共に、前記他の粘着剤付き屋根材の下嵌合凹所に、粘着剤付き屋根材の上ハゼ部を嵌挿して、屋根下地上に他の粘着剤付き屋根材を葺いて成り、
前記上嵌合凹所及び／又は下嵌合凹所は、開放側に向けて徐々に広くしたテーパー状に形成されており、
前記屋根材に設けた粘着剤はシート状の粘着剤を貼着して成り、貼着された粘着剤の表面には剥離紙が設けてあり、
前記他の粘着剤付き屋根材の下ハゼ部近傍の粘着剤の表面に設けた剥離紙を、前記他の粘着剤付き屋根材の裏面のうち、下ハゼ部に対応する部分と、他の部分とに分離可能にしておき、
前記他の粘着剤付き屋根材の下ハゼ部近傍の剥離紙の一部を剥離したうえで、前記下ハゼ部を前記粘着剤付き屋根材の上嵌合凹所に嵌挿して、前記下ハゼ部を仮粘着した後、前記剥離紙の全てを剥離して、前記他の粘着剤付き屋根材を屋根下地上に粘着して葺いて成ることを特徴とする粘着剤付き屋根材の粘着屋根葺き工法。
【発明の詳細な説明】
【技術分野】
【０００１】
本発明は、基板の端部を屈曲して上ハゼ部及び下ハゼ部を形成し、裏面に粘着剤を設けた粘着剤付き屋根材の粘着屋根葺き工法に関する。
【背景技術】
【０００２】
図３は、従来の粘着剤付き屋根材の粘着屋根葺き工法Ｙの一実施例を示す斜視図であり、図４は、図３で示した粘着剤付き屋根材の粘着屋根葺き工法Ｙによる要部の施工状態を示す拡大断面図である。
【０００３】
基板の上、下端を屈曲して上ハゼ部１０１及び下ハゼ部１０２形成し、裏面に粘着剤１０３を設けた粘着剤付き屋根材１００は既に公知である。
【０００４】
この種の粘着剤付き屋根材１００は、図３に示すように、トタン、ブリキ、薄鋼板などの金属製基板１００’の上、下端に上ハゼ部１０１及び下ハゼ部１０２（上側を「水上」、下側を「水下」とも呼ぶ。）を屈曲して形成するとともに、裏面に粘着剤１０３を設けた構造になっている。
【０００５】
このような粘着剤付き屋根材１００を施工する際には、図３に示すように、屋根の下地２０１上に接着性を高めるべくプライマー２０２を塗布し、このプライマー２０２上から非加硫ブチルゴムなどの粘着層２０３を裏面に備えた防水シート２０４を被覆して粘着し、屋根下地２００を形成する。
【０００６】
このように形成した屋根下地２００上の所定位置に、図３に示すように、略逆Ｔ状に形成した役物（「竪リブ」とも呼ぶ。）３００を固着する。
【０００７】
又、役物３００には、裏面全体から表面に巻き返して前記同様の粘着剤３０１を設けており、屋根下地２００上に墨出しした所定位置に役物３００の位置を合わせながら粘着剤３０１を屋根下地２００上に圧着して役物３００を固着する。
【０００８】
そして、この固着した役物３００間に挟み込むようにして粘着剤付き屋根材１００を軒側端から粘着剤１０３によって屋根下地２００上に圧着し、以下、同様にして、次の粘着剤付き屋根材１１０を葺いて行く。
【０００９】
更に、粘着剤付き屋根材１００から棟方向には、図４（ａ）に示すように、該粘着剤付き屋根材１００の上端の上ハゼ部１０１に、他の粘着剤付き屋根材１２０の下端の下ハゼ部１２２を嵌め込んで係止したうえで、該他の粘着剤付き屋根材１２０を屋根下地２００上に圧着し、この係止した上ハゼ部１０１及び下ハゼ部１２２を、図４（ｂ）に示すように、図中黒矢印の方向に拍子木等で叩いてハゼ潰し（「ハゼ締め」とも呼ぶ。）を行い、図４（ｃ）に示すように、軒棟方向の粘着剤付き屋根材１００、１２０同士を連結しながら、前記同様に他の粘着剤付き屋根材１２０から横方向に葺いて行くのである。
【発明の開示】
【発明が解決しようとする課題】
【００１０】
しかし、このような従来の粘着剤付き屋根材１００の粘着屋根葺き工法Ｙには、以下の問題があった。
【００１１】
すなわち、図４（ａ）〜（ｃ）に示すように、粘着剤付き屋根材１００の上ハゼ部１０１に、他の粘着剤付き屋根材１２０の下ハゼ部１２２を嵌め込んで係止したうえで、これら上ハゼ部１０１及び下ハゼ部１２２同士を拍子木等でハゼ部１２２を叩いてハゼ潰しを行うのであるが、この下ハゼ部１２２を叩く時の力加減が作業者によって異なるため、ハゼ潰し後の仕上がり状態にバラツキが生じ易く、そのため、バラツキが生じた状態で屋根全体を見ると、ハゼ潰しを行った部分が波打ったようになり、粘着剤付き屋根材のアバレを生じる恐れがあった。
【００１２】
又、前記ハゼ潰しの作業は、粘着剤付き屋根材１００の上ハゼ部１０１に、他の粘着剤付き屋根材１２０の下ハゼ部１２２を先ず嵌め込んで係止したうえで、該他の粘着剤付き屋根材１２０を屋根下地２００上に圧着し、その後に上ハゼ部１０１及び下ハゼ部１２２同士を拍子木等でハゼ潰しするため、非常に手間を要するという問題もあった。
【００１３】
本発明は、かかる課題を解決することを目的とするもので、上ハゼ部１０１及び下ハゼ部１２２同士のハゼ潰し作業を不要にして、これら上ハゼ部１０１及び下ハゼ部１２２同士を簡単且つ短時間で連結でき、しかも、仕上がり状態も均一にして屋根のアバレを防止できる粘着剤付き屋根材の粘着屋根葺き工法を提供する。
【課題を解決するための手段】
【００１４】
上記目的を達成するため、
請求項１に係る粘着剤付き屋根材の粘着屋根葺き工法は、基板の端部を屈曲して上ハゼ部及び下ハゼ部を形成し、裏面に粘着剤を設けた粘着剤付き屋根材の粘着屋根葺き工法であって、前記基板と上ハゼ部との間に形成された上嵌合凹所の基端側における間隙は、該上嵌合凹所に嵌挿される他の粘着剤付き屋根材の下ハゼ部の厚さと略同等に形成して成り、且つ、前記他の粘着剤付き屋根材の基板と下ハゼ部との間に形成された下嵌合凹所の基端側における間隙は、該下嵌合凹所に嵌挿される前記粘着剤付き屋根材の上ハゼ部の厚さ及び２枚の粘着剤の厚さと略同等に形成して成り、屋根下地上に粘着させた前記粘着剤付き屋根材の上嵌合凹所に、他の粘着剤付き屋根材の下ハゼ部を嵌挿すると共に、前記他の粘着剤付き屋根材の下嵌合凹所に、粘着剤付き屋根材の上ハゼ部を嵌挿して、屋根下地上に他の粘着剤付き屋根材を葺いて成り、前記上嵌合凹所及び／又は下嵌合凹所は、開放側に向けて徐々に広くしたテーパー状に形成されており、前記屋根材に設けた粘着剤はシート状の粘着剤を貼着して成り、貼着された粘着剤の表面には剥離紙が設けてあり、前記他の粘着剤付き屋根材の下ハゼ部近傍の粘着剤の表面に設けた剥離紙を、前記他の粘着剤付き屋根材の裏面のうち、下ハゼ部に対応する部分と、他の部分とに分離可能にしておき、前記他の粘着剤付き屋根材の下ハゼ部近傍の剥離紙の一部を剥離したうえで、前記下ハゼ部を前記粘着剤付き屋根材の上嵌合凹所に嵌挿して、前記下ハゼ部を仮粘着した後、前記剥離紙の全てを剥離して、前記他の粘着剤付き屋根材を屋根下地上に粘着して葺いて成ることを特徴とする。
【００１５】
（削除）
【発明の効果】
【００１７】
本発明によれば、次のような効果がある。  請求項１に係る粘着剤付き屋根材の粘着屋根葺き工法によれば、基板と上ハゼ部との間に形成された上嵌合凹所の基端側における間隙を、他の粘着剤付き屋根材の下ハゼ部の厚さと略同等に形成し、且つ、前記他の粘着剤付き屋根材の基板と下ハゼ部との間に形成された下嵌合凹所の基端側における間隙を、前記粘着剤付き屋根材の上ハゼ部の厚さ及び２枚の粘着剤の厚さと略同等に形成して成るので、粘着剤付き屋根材の上嵌合凹所に、他の粘着剤付き屋根材の下ハゼ部を嵌挿すると同時に、他の粘着剤付き屋根材の下嵌合凹所に、粘着剤付き屋根材の上ハゼ部を嵌挿するだけで、これら上ハゼ部及び下ハゼ部同士が粘着剤を介して簡単且つ短時間で連結できる。
【００１８】
又、ハゼ潰し作業を不要にできるので、上ハゼ部及び下ハゼ部同士の連結後の仕上がり状態にバラツキを生じることがなく、そのため、上ハゼ部及び下ハゼ部同士の連結後の仕上がり状態を均一にして、粘着剤付き屋根材のアバレを防止できる。
【００１９】
さらに、上嵌合凹所及び／又は下嵌合凹所を開放側から内側に向けて徐々に狭くしたテーパー状に形成して成るので、これら上嵌合凹所及び／又は下嵌合凹所の開放側から他の粘着剤付き屋根材の上ハゼ部及び／又は下ハゼ部を容易に嵌挿し易く、上ハゼ部及び下ハゼ部同士を更に簡単且つ短時間で連結できる。
【００２０】
また、粘着剤の表面に剥離紙を設けると共に、他の粘着剤付き屋根材の下ハゼ部近傍の剥離紙の一部を剥離したうえで、前記下ハゼ部を粘着剤付き屋根材の上嵌合凹所に嵌挿して、前記下ハゼ部を仮粘着した後、前記剥離紙の全てを剥離して、他の粘着剤付き屋根材を屋根下地上に粘着させて葺いて成るので、他の粘着剤付き屋根材を誤って屋根の下地上に貼着することを防止でき、より簡単且つ確実に粘着剤付き屋根材を葺くことができる。
【発明を実施するための最良の形態】
【００２１】
以下、本発明に係る粘着剤付き屋根材の粘着屋根葺き工法を図面とともに説明する。
【実施例１】
【００２２】
図１は、本発明に係る粘着剤付き屋根材の粘着屋根葺き工法Ａの一実施例を示す斜視図、図２は、図１で示した粘着剤付き屋根材の粘着屋根葺き工法Ａによる要部の施工状態を示す拡大断面図である。
【００２３】
先ず、本発明に用いる粘着剤付き屋根材１は、トタン、ブリキ、薄鋼板などの金属製基板１１の上端を表面側に押し返した上ハゼ部２と、金属製基板１１の下端を裏面側に折り返した下ハゼ部３を形成している。
【００２４】
なお、本実施例では、金属製基板１１の上、下端に上ハゼ部２及び下ハゼ部３を形成した、横葺きのものを例示しているが、金属製基板１１の両側端にハゼ部を形成する縦葺き等の屋根葺きも可能である。
【００２５】
又、金属製基板１１の裏面及び折り返した上ハゼ部２の上面には、非加硫ブチルゴムなどのシート状の粘着剤４を貼着している。なお、下ハゼ部３には、粘着剤４は貼着しない。
【００２６】
そして、金属製基板１１と上ハゼ部２との間に形成された上嵌合凹所５の間隙Ｌは、該上嵌合凹所５に嵌挿される他の粘着剤付き屋根材１ａの下ハゼ部３ａの厚さ（板厚）と略同等に形成して成る。
【００２７】
又、他の粘着剤付き屋根材１ａの金属製基板１１ａと下ハゼ部３ａとの間に形成された下嵌合凹所５ａの基端側における間隙Ｌ’は、該下嵌合凹所５ａに嵌挿される粘着剤付き屋根材１の上ハゼ部２の厚さ及び２枚の粘着剤４、４ａの厚さと略同等に形成して成る。
【００２８】
本発明では、本実施例で示した上嵌合凹所５及び／又は下嵌合凹所５ａは、開放側に向けて徐々に広くしたテーパー状に形成されている。このようなテーパー状に形成することで、上ハゼ部２及び／又は下ハゼ部３ａを容易に嵌挿することができる。
【００２９】
更に、粘着剤４、４ａが誤って貼着することを防止するため、粘着剤４、４ａの表面に剥離紙６を設けることが好ましく、しかも、前記剥離紙６は、下ハゼ部３ａに対向する位置で分離されるように複数の剥離紙６ａ、６ｂに分割されている。
【００３０】
以上のように構成した粘着剤付き屋根材１は、以下の要領で施工する。
【００３１】
先ず、屋根の下地Ｓ１上に接着性を高めるべくプライマーＳ２を塗布する。このプライマーＳ２は、１０ｍ2当り１．５ｋｇ〜２．５ｋｇの割合で、下地Ｓ１が完全に見えなくなるくらいに塗布する。そして、プライマーＳ２の塗布後、４〜５時間以内にプライマーＳ２が十分に乾燥し、指触乾燥したならば、このプライマーＳ２上から非加硫ブチルゴムなどの粘着剤Ｓ３を裏面に備えた防水シートＳ４を被覆して粘着する。
【００３２】
防水シートＳ４は、軒先から棟に向けて貼着して行き、防水シートＳ４の重ね代は１００ｍｍ以上とし、シーリングを施すのが好ましい。
【００３３】
なお、防水シートＳ４は、ゴムローラー等により十分に圧着し、防水シートＳ４の重ね目は、しわが生じないように圧着し、屋根下地Ｓを形成する。このように形成した屋根下地Ｓ上の所定位置に、従来同様、略逆Ｔ状に形成した役物（「竪リブ」とも呼ぶ。）７を固着する。
【００３４】
又、役物７には、裏面全体から表面に巻き返して前記同様の粘着剤４を設けており、屋根下地Ｓ上に墨出しした所定位置に役物７の位置を合わせながら粘着剤４を屋根下地Ｓ上に圧着して役物７を固着する。
【００３５】
そして、この固着した役物７間に挟み込むようにして粘着剤付き屋根材１を軒側端の屋根下地Ｓ上に圧着し、以下、同様にして、次の粘着剤付き屋根材１０を横方向に葺いて行く。
【００３６】
次に、この横葺きした粘着剤付き屋根材１、１０、・・・から棟方向に施工するには、屋根下地Ｓ上に粘着させた粘着剤付き屋根材１の上嵌合凹所５に、他の粘着剤付き屋根材１ａの下端の下ハゼ部３ａを嵌挿すると共に、他の粘着剤付き屋根材１ａの下嵌合凹所５ａに、粘着剤４を貼着した粘着剤付き屋根材１の上ハゼ部２を嵌挿して、上ハゼ部２及び下ハゼ部３ａを連結し、他の粘着剤付き屋根材１ａを屋根下地Ｓ上に粘着させて、他の粘着剤付き屋根材１ａを棟方向に葺くのである。
【００３７】
このとき、本実施例で示すように、粘着剤４ａの表面に設けた剥離紙６を、金属製基板１１ａの裏面のうち、下ハゼ部３ａに対応する部分と、他の部分に分離可能にしておき、下ハゼ部３ａに対応する部分の剥離紙６ａだけを剥がして、上嵌合凹所５に下ハゼ部３ａを嵌挿すると共に、下嵌合凹所５ａに上ハゼ部２を嵌挿する作業を行えば、他の粘着剤付き屋根材１ａを仮粘着できるうえ、この作業中に誤って他の粘着剤付き屋根材１ａが屋根下地Ｓ上に貼着するのを防止できる。
【００３８】
そして、この仮粘着のときに、上嵌合凹所５に下ハゼ部３ａが上手く嵌挿できなくても、下ハゼ部３ａを一旦引き出して再嵌挿することが容易にでき、このようにして上嵌合凹所５に下ハゼ部３ａを確実に嵌挿すると共に、下嵌合凹所５ａに上ハゼ部２を嵌挿した後、残りの全ての剥離紙６ｂを剥離して、他の粘着剤付き屋根材１ａを屋根下地Ｓ上に貼着する。
【００３９】
以下同様にして、他の粘着剤付き屋根材１ａに隣接しながら更に他の粘着剤付き屋根材（不図示）を屋根下地Ｓに圧着して横葺きして行き、本発明に係る粘着剤付き屋根材の粘着屋根葺き工法Ａを完了するのである。
【００４０】
このように、本発明に係る粘着剤付き屋根材の粘着屋根葺き工法Ａによれば、金属製基板１１と上ハゼ部２との間に形成された上嵌合凹所５の基端側における間隙Ｌを、他の粘着剤付き屋根材１ａの下ハゼ部３ａの厚さと略同等に形成し、且つ、前記他の粘着剤付き屋根材１ａの金属製基板１１ａと下ハゼ部３ａとの間に形成された下嵌合凹所５ａの基端側における間隙Ｌ’を、前記粘着剤付き屋根材１の上ハゼ部２の厚さ及び２枚の粘着剤４、４ａの厚さと略同等に形成して成るので、上嵌合凹所５に下ハゼ部３ａを嵌挿すると共に、下嵌合凹所５ａに上ハゼ部２を嵌挿するだけで、これら上ハゼ部２及び下ハゼ部３ａ同士が粘着剤４、４ａを介して簡単且つ短時間で連結できる。
【００４１】
又、ハゼ潰し作業を不要にできるので、上ハゼ部２及び下ハゼ部３ａ同士の連結後の仕上がり状態にバラツキを生じることがなく、そのため、上ハゼ部２及び下ハゼ部３ａ同士の連結後の仕上がり状態を均一にして、粘着剤付き屋根材１、１ａのアバレを防止できるのである。
【図面の簡単な説明】
【００４２】
【図１】本発明に係る粘着剤付き屋根材の粘着屋根葺き工法Ａの一実施例を示す斜視図である。
【図２】図１で示した粘着剤付き屋根材の粘着屋根葺き工法Ａによる要部の施工状態を示す拡大断面図である。
【図３】従来の粘着剤付き屋根材の粘着屋根葺き工法Ｙの一実施例を示す斜視図である。
【図４】図３で示した粘着剤付き屋根材の粘着屋根葺き工法Ｙによる要部の施工状態を示す拡大断面図である。
【符号の説明】
【００４３】
Ａ      粘着剤付き屋根材の粘着屋根葺き工法
Ｓ      屋根下地
Ｌ      （下嵌合凹所の基端側における）間隙
Ｌ’    （上嵌合凹所の基端側における）間隙
１      粘着剤付き屋根材
１ａ    他の粘着剤付き屋根材
１１    金属製基板
２      上ハゼ部
３、３ａ下ハゼ部
４、４ａ粘着剤
５      上嵌合凹所
５ａ    下嵌合凹所
６      剥離紙
【図１】
0004794006.tif 000002
【図２】
0004794006.tif 000003
【図３】
0004794006.tif 000004
【図４】
0004794006.tif 000005